(57)【要約】【課題】従来技術によれば、明瞭に語音が聞き取れるか否かを検査できるだけで、構音障害者が第三者に理解できるように明瞭に発音できるか否かを判断することができない。構音障害者が第三者に理解できるように明瞭に発音できるかを検査し、語音の発生能力を向上させるためのシステムは存在しなかった。【解決手段】第一情報処理装置と第二情報処理装置を具備する情報処理システムであって、第一情報処理装置は、１以上の検査語データの中から検査語データを選択して表示し、検査語データの表示に対応する被験者の音声入力を受け付け、受け付けた音声入力に対応する音声データを検査語データと対応付けて蓄積し、第二情報処理装置は、音声を出力し、音声出力に対応する検査者の入力を受け付ける情報処理システムであり、かかる情報処理システムにより、容易に語音明瞭度を判定できる。【選択図】図１
2004252019.tif 000002
【特許請求の範囲】
【請求項１】
第一情報処理装置と第二情報処理装置を具備する情報処理システムであって、
前記第一情報処理装置は、
１以上の検査語のデータである検査語データを格納している検査語格納部と、
前記検査語データを選択して表示する検査語表示部と、
前記検査語データの表示に対応する被験者の音声入力を受け付ける音声入力受付部と、
前記音声入力受付部が受け付けた音声入力に対応する音声データを前記検査語データと対応付けて蓄積する音声蓄積部を具備し、
前記第二情報処理装置は、
前記音声を出力する音声出力部と、
前記音声出力部の音声出力に対応する検査者の入力を受け付ける入力受付部を具備する情報処理システム。
【請求項２】
前記音声出力部は、前記受信した２以上の音声データをシャッフリングして出力する請求項１記載の情報処理システム。
【請求項３】
前記第二情報処理装置は、
前記第一情報処理装置から検査語データと音声データの対を２組以上受信し、蓄積する請求項１または請求項３いずれか記載の情報処理システム。
【請求項４】
前記第二情報処理装置は、
前記音声出力部が出力した音声の音声データと対になる検査語データと前記検査者の入力が合致しているか否かを判断する合致判断部と、
前記合致判断部における判断結果を出力する結果出力部をさらに具備する請求項１から請求項３いずれか記載の情報処理システム。
【請求項５】
請求項１から請求項４いずれか記載の情報処理システムを構成する第一情報処理装置。
【請求項６】
請求項１から請求項４いずれか記載の情報処理システムを構成する第二情報処理装置。
【請求項７】
格納している１以上の検査語データから一の検査語データを選択して表示する検査語表示ステップと、
前記検査語データの表示に対応する被験者の音声入力を受け付ける音声入力受付ステップと、
前記音声入力受付ステップが受け付けた音声入力の音声データを前記検査語データと対応付けて蓄積する音声蓄積ステップと、
前記音声データを出力する音声出力ステップと、
前記音声出力ステップにおける音声出力に対応する検査者の入力を受け付ける入力受付ステップを具備する語音明瞭度判定方法。
【請求項８】
前記音声出力ステップは、音声データをシャッフリングして出力する請求項７記載の語音明瞭度判定方法。
【請求項９】
前記検査者の入力と、前記音声出力ステップで出力した音声データと対になる検査語データが合致しているか否かを判断する合致判断ステップと、
前記合致判断ステップにおける判断結果を出力する結果出力ステップをさらに具備する請求項７または請求項８いずれか記載の語音明瞭度判定方法。
【請求項１０】
コンピュータに、
格納している音声データを出力する音声出力ステップと、
前記音声出力ステップにおける音声出力に対応する検査者の入力を受け付ける入力受付ステップと、
前記音声出力ステップで出力した音声データと対になる検査語データと、前記検査者の入力が合致しているか否かを判断する合致判断ステップと、
前記合致判断ステップにおける判断結果を出力する結果出力ステップを実行させるためのプログラム。
【請求項１１】
前記音声出力ステップにおいて、音声データをシャッフリングして出力する請求項１０記載のプログラム。
【発明の詳細な説明】
【０００１】
【発明の属する技術分野】
本発明は、語音明瞭度判定方法およびこの方法を実施する装置等に関する。
【０００２】
【従来の技術】
従来の関連する技術として、以下の語音聴力検査方法がある（特許文献１参照）。かかる方法は、語音聴力検査を容易に実施することができる共に、検査結果を検査後直ちに知ることができる語音聴力検査方法である。
【０００３】
具体的には、かかる語音聴力検査方法は、記録された複数の日本語単音節音声の内の１個を再生し、再生音声を受聴した被験者はこの単音節音声が何に聴こえたかを表示画面上に表示される単音節マトリクスにより入力して回答し、回答の正誤を計算する一連の行程を複数の日本語単音節音声のそれぞれについて実施し、次いで明瞭度その他の検査データを計算して語音聴力検査を終了する語音聴力検査方法である。
【０００４】
【特許文献１】
特開平９−３８０６９号公報（第１頁、第１図等）
【０００５】
【発明が解決しようとする課題】
しかし、上記従来技術によれば、明瞭に語音が聞き取れるか否かを検査できるだけで、構音障害者が第三者に理解できるように明瞭に発音できるか否かを判断することができない。構音障害者が第三者に理解できるように明瞭に発音できるかを検査し、語音の発生能力を向上させるためのシステムは存在しなかった。
【０００６】
【課題を解決するための手段】
そこで、第一の発明は、第一情報処理装置と第二情報処理装置を具備する情報処理システムであって、第一情報処理装置は、１以上の検査語データの中から検査語データを選択して表示する検査語表示部と、検査語データの表示に対応する被験者の音声入力を受け付ける音声入力受付部と、音声入力受付部が受け付けた音声入力に対応する音声データを検査語データと対応付けて蓄積する音声蓄積部を具備し、第二情報処理装置は、音声を出力する音声出力部と、音声出力部の音声出力に対応する検査者の入力を受け付ける入力受付部を具備する情報処理システムであり、かかる情報処理システムにより、容易に語音明瞭度を判定できる。
【０００７】
また、第二の発明は、第二情報処理装置は、第一情報処理装置から検査語データと音声データの対を２組以上受信し、音声出力部は、受信した２以上の音声データをシャッフリングして出力することにより、検査者が、語順を記憶することにより、検査の精度が低下する、という問題を防ぐことが出来る。
【０００８】
【発明の実施の形態】
以下、語音明瞭度の判定を行う情報処理システム等の実施形態について図面を参照して説明する。なお、実施の形態において同じ符号を付した構成要素は同様の動作を行うので、再度の説明を省略する場合がある。
【０００９】
図１は、語音明瞭度の判定を行う情報処理システムのブロック図である。本情報処理システムは、第一情報処理装置１１と第二情報処理装置１２を具備する。第一情報処理装置１１は、語音明瞭度判定の被験者が利用する情報処理装置である。第二情報処理装置１２は語音明瞭度判定の検査者が利用する情報処理装置である。
【００１０】
第一情報処理装置１１は、検査語格納部１１０１、検査語表示部１１０２、音声入力受付部１１０３、音声蓄積部１１０４、第一通信部１１０５を具備する。第二情報処理装置１２は、第二通信部１２０１、入力受付部１２０２、音声出力部１２０３、合致判断部１２０４、結果出力部１２０５を具備する。
【００１１】
検査語格納部１１０１は、１以上の検査語のデータである検査語データを格納している。検査語は、単音節でも良いし、文章でも良い。検査語格納部１１０１は、不揮発性の記録媒体が好適であるが、揮発性の記録媒体でも実現可能である。
【００１２】
検査語表示部１１０２は、検査語格納部１１０１に格納されている検査語データを選択して当該検査語データを表示する。検査語表示部１１０２は、通常、ランダムに（シャッフリングして）検査語データを選択して表示するが、表示順序が決まっていても良い。検査語表示部１１０２は、ディスプレイを含むと考えても含まないと考えても良い。検査語表示部１１０２がディスプレイを含まない場合は、検査語表示部１１０２は外付けのディスプレイに表示指示をする。検査語表示部１１０２は、ディスプレイとそのドライバーソフト等で実現され得る。ディスプレイは、液晶、有機ＥＬ、ＣＲＴ等、そのデバイスを問わない。
【００１３】
音声入力受付部１１０３は、検査語の表示に対応する被験者の音声入力を受け付ける。音声入力の手段は、例えば、マイクである。具体的には、音声入力受付部１１０３は、マイクが集音した音声をデータに変換する。このデータの構造は問わない。
【００１４】
音声蓄積部１１０４は、音声入力受付部１１０３が受け付けた音声のデータを表示された検査語データと対応付けて蓄積する。音声蓄積部１１０４が音声データを蓄積する記録媒体は、音声蓄積部１１０４が有していても良いし、外付けのものでも良い。音声蓄積部１１０４は、通常、ＭＰＵやメモリ等から実現され得る。音声蓄積部１１０４が音声データを蓄積するための処理手順は、通常、ソフトウェアで実現され、当該ソフトウェアはＲＯＭ等の記録媒体に記録されている。但し、ハードウェア（専用回路）で実現しても良い。
【００１５】
第一通信部１１０５は、検査語データと音声蓄積部１１０４が蓄積した音声データの組を１組以上、第二情報処理装置に送信する。なお、第一通信部１１０５は、音声蓄積部１１０４が蓄積した音声データと検査語データを識別する情報を送信しても良い。かかる場合、第二情報処理装置は、検査語データを保持している。第一通信部１１０５は、通常、無線または有線の通信手段で実現されるが、放送手段で実現されても良い。
【００１６】
第二通信部１２０１は、第一通信部１１０５から送信された検査語データと音声蓄積部１１０４が蓄積した音声データの組を１組以上受信する。第二通信部１２０１は、音声データと検査語を識別する情報の組を受信する場合もある。第二通信部１２０１は、通常、無線または有線の通信手段で実現されるが、放送を受信する手段で実現されても良い。なお、通常、第二通信部１２０１が受信した検査語のデータと音声データは、１組以上あり、それらは一時的にでも記録媒体に格納される。
【００１７】
入力受付部１２０２は、検査者の検査開始の指示、または検査者が聞き取った語音の入力を受け付ける。入力手段は、キーボードやマウスやメニューやソフトウェアキーボードなど、種々の入力手段が考えられる。入力受付部１２０２は、入力手段を含むと考えても含まないと考えても良い。入力受付部１２０２は、例えば、キーボード等の入力手段とそのドライバーソフトで実現され得る。
【００１８】
音声出力部１２０３は、入力受付部１２０２が検査開始の指示を受け付けた場合、第二通信部１２０１が受信した音声データを、一つずつ出力する。音声出力部１２０３は、２以上の音声データをシャッフリングして出力することが好適である。シャッフリングのアルゴリズムは問わないが、例えば、乱数を発生させて、当該乱数をキーとして音声データを選択して出力する方法がある。かかる場合、一度出力した音声データは、検査が一通り終了するまで出力対象の音声データから除外することが好適である。音声出力部１２０３は、スピーカーを具備する。また、音声出力部１２０３が音声データを選択する動作は、通常、ソフトウェアで実現され、当該ソフトウェアはＲＯＭ等の記録媒体に記録されている。但し、ハードウェア（専用回路）で実現しても良い。
【００１９】
合致判断部１２０４は、入力受付部１２０２で受け付けた検査者の入力と、音声出力部１２０３が出力した音声データと対になる検査語のデータが合致しているか否かを判断する。合致判断部１２０４は、通常、ＭＰＵやメモリ等から実現され得る。合致判断部１２０４の判断の処理手順は、通常、ソフトウェアで実現され、当該ソフトウェアはＲＯＭ等の記録媒体に記録されている。但し、ハードウェア（専用回路）で実現しても良い。
【００２０】
結果出力部１２０５は、合致判断部１２０４における判断結果を出力する。判断結果とは、合致判断部１２０４が一組のデータの合致／不合致を判断した結果でも良いし、すべての組のデータの合致／不合致を判断した結果（総合得点など）でも良い。また、出力とは、ディスプレイの表示、プリンタへの印字、音出力、外部の装置への送信等を含む概念である。結果出力部１２０５は、ディスプレイなどの出力デバイスを含むと考えても含まないと考えても良い。結果出力部１２０５が出力デバイスを含まない場合は、結果出力部１２０５は、出力デバイスに判断結果を出力指示する。結果出力部１２０５は、ディスプレイ等の出力デバイスとそのドライバーソフトで実現され得る。
【００２１】
以下、本情報処理システムの動作について説明する。まず、第一情報処理装置１１の動作について図２のフローチャートを用いて説明する。なお、第一情報処理装置１１の電源はオンの状態である、とする。
【００２２】
（ステップＳ２０１）カウンタｉに１を代入する。
【００２３】
（ステップＳ２０２）検査語表示部１１０２は、ｉ番目の検査語データが検査語格納部１１０１に存在するか否かを判断する。ｉ番目の検査語データが存在すればステップＳ２０３に行き、ｉ番目の検査語データが存在しなければステップＳ２０９に飛ぶ。
【００２４】
（ステップＳ２０３）検査語表示部１１０２は、ｉ番目の検査語データを検査語格納部１１０１から取得する。
【００２５】
（ステップＳ２０４）検査語表示部１１０２は、ステップＳ２０３で取得したデータを表示する。
【００２６】
（ステップＳ２０５）音声入力受付部１１０３は、被験者からの音声入力があったか否かを判断する。被験者からの音声入力があればステップＳ２０６に行き、被験者からの音声入力がなければステップＳ２０５に戻る。
【００２７】
（ステップＳ２０６）音声蓄積部１１０４は、ステップＳ２０５で受け付けた音声を蓄積する形式の音声データに変換する。
【００２８】
（ステップＳ２０７）音声蓄積部１１０４は、ステップＳ２０６で変換した音声データをｉ番目の検査語データと対応付けて蓄積する。
【００２９】
（ステップＳ２０８）ｉをインクリメントする。ステップＳ２０２に戻る。
【００３０】
（ステップＳ２０９）すべての音声データと検査語データの組を第二情報処理装置１２に送信する。なお、音声データと検査語データの組の送信は、第二情報処理装置１２からの指示により送信しても良い。また、第二情報処理装置１２における検査のために、第二情報処理装置１２に一組ずつ送信しても良い。処理を終了する。
【００３１】
次に、第二情報処理装置１２の動作について図３のフローチャートを用いて説明する。
【００３２】
（ステップＳ３０１）第二通信部１２０１は、第一情報処理装置１１からデータを受信したか否かを判断する。データとは、音声データと検査語データの組が１組以上であるデータである。
【００３３】
（ステップＳ３０２）第二通信部１２０１は、ステップＳ３０１で受信したデータを蓄積する。
【００３４】
（ステップＳ３０３）入力受付部１２０２は、検査者の検査開始の指示を受け付けたか否かを判断する。検査開始の指示を受け付ければステップＳ３０４に行き、検査開始の指示を受け付けなければステップＳ３０３に戻る。
【００３５】
（ステップＳ３０４）ステップＳ３０１で受信したデータ数（ｎ）を算出する。データ数とは、音声データと検査語データの組の数である。
【００３６】
（ステップＳ３０５）カウンタｉに１を代入する。
【００３７】
（ステップＳ３０６）得点（ｘ）に０を代入する。
【００３８】
（ステップＳ３０７）ｉがｎ以下であるか否かを判断する。ｉがｎ以下であればステップＳ３０８に行き、ｉがｎ以下でなければステップＳ３１６に飛ぶ。
【００３９】
（ステップＳ３０８）音声出力部１２０３は、乱数を発生する。
【００４０】
（ステップＳ３０９）音声出力部１２０３は、ステップＳ３０８で発生した乱数をキーとして、音声データを選択する。
【００４１】
（ステップＳ３１０）音声出力部１２０３は、ステップＳ３０９で選択した音声データを出力する。
【００４２】
（ステップＳ３１１）入力受付部１２０２は、音声発生に対する、検査者の入力を受け付けたか否かを判断する。検査者の入力を受け付ければステップＳ３１２に行き、検査者の入力を受け付けなければステップＳ３１１に戻る。
【００４３】
（ステップＳ３１２）合致判断部１２０４は、ステップＳ３０９で選択した音声データに対応する検査語データを取得する。
【００４４】
（ステップＳ３１３）合致判断部１２０４は、ステップＳ３１１で受け付けた入力と、ステップＳ３１２で取得した検査語データが一致するか否かを判断する。一致すればステップＳ３１４に行き、一致しなければステップＳ３１５に飛ぶ。
【００４５】
（ステップＳ３１４）得点（ｘ）を１インクリメントする。
【００４６】
（ステップＳ３１５）カウンタｉを１インクリメントする。ステップＳ３０７に戻る。
【００４７】
（ステップＳ３１６）結果出力部１２０５は、合致判断部１２０４の判断結果を算出する。具体的には、例えば、「得点（ｘ）／問題数（ｎ）×１００」により、百点満点の何点であるかを算出する。
【００４８】
（ステップＳ３１７）結果出力部１２０５は、ステップＳ３１６における算出結果を出力する。
【００４９】
以下、本実施の形態における情報処理システムの具体的な動作について説明する。情報処理システムの概念図を図４に示す。図４の情報処理システムは、第一情報処理装置１１と第二情報処理装置１２を具備し、第一情報処理装置１１と第二情報処理装置１２は、ネットワークで接続されている。また、第二情報処理装置１２は、騒音の激しい外に設置されている、とする。かかることにより、騒音下等のあらゆる場所において、被験者が入力した音声を、検査者が聞き取れるか否かを判断できる。
【００５０】
今、第一情報処理装置１１は、図５に示す検査語データ管理表を保持している。検査語データ管理表は、「ＩＤ」「検査語」「ポインタ」を有するレコードを１以上格納している。「ＩＤ」は、レコードを識別する情報であり、表管理上の要請のために存在する。「検査語」は、検査語データを管理する属性である。「ポインタ」は、音声データのファイルへのポイントを格納する属性である。検査の開始前は、「ポインタ」の属性値はすべてＮＵＬＬ（空）である。
【００５１】
かかる状況で、被験者の検査が開始される、とする。第一情報処理装置１１は、検査語データ管理表の第１レコードから検査語データを取得し、表示する（図６参照）。そして、被験者は、かかる検査語データの表示に対応して、ディスプレイに表示されている検査語を発音する。被験者の音声入力が終了すると、第一情報処理装置１１は、受け付けた音声を音声データ（例えば、ＷＡＶファイル）に変換し、ファイルに記録する。ファイルは、新たに生成され、オープンされ、データが書き込まれた後クローズされる。つまり、ここでは、１音声データを１ファイルに記録する、とする。そして、第一情報処理装置１１は、検査語データと音声データのファイルをポインタで関連付ける。つまり、例えば、第１レコードの属性値「ポインタ」にファイルの先頭アドレスが記録される。
【００５２】
次に、第一情報処理装置１１は検査語データ管理表の第２レコードから検査語データを取得し、表示する。そして、同様に被験者は、かかる検査語データの表示に対応して、検査語を発音し、第一情報処理装置１１は、受け付けた音声を音声データに変換し、当該音声データと検査語データを関連付けて記録する。
【００５３】
以下、第一情報処理装置１１は、同様にｎ番目のレコードまで、上記の処理を繰り返す。その結果、第一情報処理装置１１は、図７に示す検査語データ管理表と音声データファイルを得る。
【００５４】
次に、第一情報処理装置１１は、図７に示す検査語データ管理表と音声データファイルを第二情報処理装置１２に送信する。第二情報処理装置１２は、図７に示す検査語データ管理表と音声データファイルを受信し、一時蓄積する。
【００５５】
次に、検査者は、被験者の発音が明瞭であるか否かを判断するための検査を開始する。つまり、まず、検査者は、検査の開始指示を入力する。次に、第二情報処理装置１２は、乱数を発生させ、乱数をキーで出力する音声データを決定する。例えば、第二情報処理装置１２は、「発生した乱数をｎ＋１で割った余り」が示す番号のレコードにリンクされている音声データを取得し、出力する。
【００５６】
次に、検査者は、音声出力に対応して、入力手段（例えば、キーボード）から、聞こえた音声を文字入力する。次に、第二情報処理装置１２は、音声出力したファイルをリンクしているレコードの「検査語」の属性値を取得する。次に、第二情報処理装置１２は、検査者が入力したデータ（文字列）と、当該「検査語」の属性値を比較し、一致しているか否かを判断する。
【００５７】
そして、一致していれば、得点を１インクリメントする。以上の処理を繰り返し、すべての検査語の検査を行う。以上より、被験者が明瞭に発音できる割合が算出され、障害の程度が分かる。なお、図８に検査結果の出力例を示す。ただし、出力は、他の態様や他の手段（音声出力など）でも良い。
【００５８】
なお、一致していない場合に、第二情報処理装置１２は、一致していない「文字」または「文字列」を取得することが望ましい。一致していない「文字」等は、「検査語」の属性値が有する文字等である。一致していない「文字」または「文字列」を分析することにより、被験者が発音しにくい語音が判断でき、後の訓練等に生かされるからである。例えば、破裂音の発音が明瞭にできない場合が多ければ、その旨を出力しても良い（図９参照）。図９によれば、被験者の正解の割合と、検査結果における傾向が示されている。
【００５９】
以上、本実施の形態によれば、簡単に、構音障害者が第三者に理解できるように語音を明瞭に発音できるかを検査できる。
【００６０】
なお、本実施の形態によれば、検査者に対して音声データをシャッフリングして提示したが、順番に提示しても良い。ただ、音声データをシャッフリングして提示することにより、検査者は暗記しにくく、先入観を持って検査することがないので、正確な判定が可能である。現実的には、検査者は医師や看護師などであり、概ね限られてくる。また、検査者は繰り返し同一の患者（被験者）の検査者になる。したがって、音声データをシャッフリングして提示することは、正確な検査のためには、極めて重要である。
【００６１】
なお、シャッフリングせずに提示する場合の情報処理システムの構成は以下の構成である。第一情報処理装置と第二情報処理装置を具備する情報処理システムであって、第一情報処理装置は、１以上の検査語を格納している検査語格納部と、検査語を選択して表示する検査語表示部と、検査語の表示に対応する被験者の音声入力を受け付ける音声入力受付部と、音声入力受付部が受け付けた音声を前記検査語と対応付けて蓄積する音声蓄積部を具備し、第二情報処理装置は、音声を出力する音声出力部と、音声出力部の音声出力に対応する検査者の入力を受け付ける入力受付部を具備する情報処理システム、である。
【００６２】
また、本実施の形態によれば、音声データをシャッフリングするアルゴリズムは問わない。
【００６３】
また、本実施の形態によれば、第二情報処理装置は、合致判断部と結果出力部を具備したが、合致判断部と結果出力部は必須の構成要素ではない。合致判断は検査者が行っても良い。
【００６４】
また、本実施の形態によれば、第一情報処理装置と第二情報処理装置はネットワークで接続されていたが、被験者の音声録音と検査者の検査処理を一の装置で行っても良い。
【００６５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、本実施の形態における第二情報処理装置を実現するソフトウェアは、以下のようなプログラムである。つまり、このプログラムは、コンピュータに、格納している音声データをランダムに出力する音声出力ステップと、音声出力ステップにおける音声出力に対応する検査者の入力を受け付ける入力受付ステップと、検査者の入力と、音声出力ステップで出力した音声データと対になる検査語データが合致しているか否かを判断する合致判断ステップと、合致判断ステップにおける判断結果を出力する結果出力ステップを実行させるためのプログラムである。
【発明の効果】
以上のように、本発明によれば、構音障害者が第三者に理解できるように発音できるか否かを、簡単に判断することができる。
【図面の簡単な説明】
【図１】実施の形態における情報処理システムのブロック図
【図２】実施の形態における第一情報処理装置の動作について説明するフローチャート
【図３】実施の形態における第二情報処理装置の動作について説明するフローチャート
【図４】実施の形態における情報処理システムの概念図
【図５】実施の形態における検査語データ管理表を示す図
【図６】実施の形態における第一情報処理装置の検査語の表示例を示す図
【図７】実施の形態における検査語データ管理表を示す図
【図８】実施の形態におけるなお検査結果の出力例を示す図
【図９】実施の形態におけるなお検査結果の出力例を示す図
【符号の説明】
１１  第一情報処理装置
１２  第二情報処理装置
１１０１  検査語格納部
１１０２  検査語表示部
１１０３  音声入力受付部
１１０４  音声蓄積部
１１０５  第一通信部
１２０１  第二通信部
１２０２  入力受付部
１２０３  音声出力部
１２０４  合致判断部
１２０５  結果出力部
【図１】
2004252019.tif 000003
【図２】
2004252019.tif 000004
【図３】
2004252019.tif 000005
【図４】
2004252019.tif 000006
【図５】
2004252019.tif 000007
【図６】
2004252019.tif 000008
【図７】
2004252019.tif 000009
【図８】
2004252019.tif 000010
【図９】
2004252019.tif 000011